(57)【要約】      （修正有）【課題】撮影されている状況を把握しやすくする。【解決手段】表示装置２０は、加速度センサ２４の検出結果から（表示部２５の表示面の水平方向に対する回転角）を算出し、該水平角を通信部２１を介して撮像装置１０に送信する。撮像装置１０は、通信部１１を介して表示装置２０の水平角を受信すると、スルー画像に対して、水平角に応じてデジタルズーム、回転、トリミング、リサイズ（間引きによる解像度変更）を行い、通信部１１を介して表示装置２０に送信する。表示装置２０は、撮像装置１０から送信されるスルー画像を受信して表示部２５に表示する。【選択図】図２
2015139124.tif 000002
【特許請求の範囲】
【請求項１】
外部装置から傾き情報を受信する受信手段と、
この受信手段によって傾き情報を受信すると、この傾き情報に基づいて、前記外部装置に提供する画像の生成を制御する生成制御手段と、
を備えることを特徴とする画像生成装置。
【請求項２】
前記外部装置は、表示部を備えた装置であり、
当該画像生成装置は、
撮像手段と、
この撮像手段が撮像した画像を含む、前記表示部にて表示されるべき画像を生成する画像生成手段と、
前記生成制御手段によって制御された前記画像生成手段によって生成された画像を、前記表示部を備えた外部装置へ送信する送信手段と、
を更に備えることを特徴とする請求項１記載の画像生成装置。
【請求項３】
前記傾き情報は、前記表示部の表示面の水平方向に対する回転角の情報であることを特徴とする請求項２記載の画像生成装置。
【請求項４】
前記生成制御手段は、前記傾き情報に応じて倍率を制御された画像を生成することを特徴とする請求項１乃至３の何れかに記載の画像生成装置。
【請求項５】
前記生成制御手段は、前記傾き情報に応じてデジタルズームで倍率を制御された画像を生成することを特徴とする請求項１乃至４の何れかに記載の画像生成装置。
【請求項６】
ズームレンズを更に備え、
前記生成制御手段は、前記傾き情報に応じて前記ズームレンズで倍率を制御された画像を生成することを特徴とする請求項１乃至４の何れかに記載の画像生成装置。
【請求項７】
前記生成制御手段は、前記傾き情報に応じてトリミングされた画像を生成することを特徴とする請求項１乃至３の何れかに記載の画像生成装置。
【請求項８】
前記生成制御手段は、前記傾き情報に応じてリサイズされた画像を生成することを特徴とする請求項１乃至３の何れかに記載の画像生成装置。
【請求項９】
前記表示部の縦横比に応じた倍率制御内容を記憶するテーブルを備えたことを特徴とする請求項４乃至６の何れかに記載の画像生成装置。
【請求項１０】
前記生成制御手段は、逐次撮像される画像に対して、前記傾き情報に応じて画像の生成を制御することを特徴とする請求項１乃至９の何れかに記載の画像生成装置。
【請求項１１】
前記生成制御手段は、記録指示された画像に対して、前記傾き情報に応じて画像の生成を制御することを特徴とする請求項１乃至９の何れかに記載の画像生成装置。
【請求項１２】
外部装置と画像生成装置とからなる画像生成システムであって、
前記外部装置は、
当該外部装置の傾き情報を検出する検出手段と、
この検出手段によって検出された傾き情報を前記画像生成装置に送信する傾き情報送信手段と、
を備え、
前記画像生成装置は、
前記外部装置から傾き情報を受信する傾き情報受信手段と、
この傾き情報受信手段によって傾き情報を受信すると、この傾き情報に基づいて、前記外部装置に提供する画像の生成を制御する生成制御手段と、
を備えることを特徴とする画像生成システム。
【請求項１３】
前記外部装置は、
前記画像生成装置から送信される画像を受信する画像受信手段と、
前記画像受信手段によって受信された画像を表示する表示手段と、
を更に備え、
前記画像生成装置は、
撮像手段と、
この撮像手段が撮像した画像を含む、前記表示手段にて表示されるべき画像を生成する画像生成手段と、
前記生成制御手段によって制御された前記画像生成手段によって生成された画像を、前記外部装置へ送信する画像送信手段と、
を備えることを特徴とする請求項１１記載の画像生成システム。
【請求項１４】
前記傾き情報は、前記表示手段の表示面の水平方向に対する回転角の情報であることを特徴とする請求項１３記載の画像生成システム。
【請求項１５】
前記生成制御手段は、前記傾き情報に応じて倍率を制御された画像を生成することを特徴とする請求項１２乃至１４の何れかに記載の画像生成システム。
【請求項１６】
前記生成制御手段は、前記傾き情報に応じてデジタルズームで倍率を制御された画像を生成することを特徴とする請求項１２乃至１５の何れかに記載の画像生成システム。
【請求項１７】
前記画像生成装置は、ズームレンズを更に備え、
前記生成制御手段は、前記傾き情報に応じて前記ズームレンズで倍率を制御された画像を生成することを特徴とする請求項１２乃至１５の何れかに記載の画像生成システム。
【請求項１８】
前記生成制御手段は、前記傾き情報に応じてトリミングされた画像を生成することを特徴とする請求項１２乃至１４の何れかに記載の画像生成システム。
【請求項１９】
前記生成制御手段は、前記傾き情報に応じてリサイズされた画像を生成することを特徴とする請求項１２乃至１４の何れかに記載の画像生成システム。
【請求項２０】
前記画像生成装置は、前記表示手段の縦横比に応じた倍率制御内容を記憶するテーブルを備えたことを特徴とする請求項１５乃至１７の何れかに記載の画像生成システム。
【請求項２１】
前記生成制御手段は、逐次撮像される画像に対して、前記傾き情報に応じて画像の生成を制御することを特徴とする請求項１２乃至２０の何れかに記載の画像生成システム。
【請求項２２】
前記生成制御手段は、記録指示された画像に対して、前記傾き情報に応じて画像の生成を制御することを特徴とする請求項１２乃至２０の何れかに記載の画像生成システム。
【請求項２３】
外部装置から傾き情報を受信する受信ステップと、
この受信ステップで傾き情報を受信すると、この傾き情報に基づいて、前記外部装置に提供する画像の生成を制御する生成制御ステップと、
を含むことを特徴とする画像生成方法。
【請求項２４】
画像生成装置のコンピュータを、
外部装置から傾き情報を受信する受信機能、
この受信機能によって傾き情報を受信すると、この傾き情報に基づいて、前記外部装置に提供する画像の生成を制御する生成制御機能、
として機能させることを特徴とするプログラム。
【発明の詳細な説明】
【技術分野】
【０００１】
本発明は、画像生成装置、画像生成システム、画像生成方法、及びプログラムに関する。
【背景技術】
【０００２】
従来より、デジタルカメラで撮影した画像を、表示部を備えた外部機器（以下、表示装置という）に転送する技術が開示されている（例えば特許文献１参照）。この技術によれば、デジタルカメラを持たなくても撮影されている画像を確認できるので、撮像画角の自由度が広がる。
【先行技術文献】
【特許文献】
【０００３】
【特許文献１】特開２００８−０７９２３３号公報
【発明の概要】
【発明が解決しようとする課題】
【０００４】
しかしながら、上記従来技術では、デジタルカメラからは、表示装置の姿勢状態を全く無視した撮影画像が送信されるので、例えば、表示装置側で回転による画角の変更が生じた場合に、表示装置の表示部による確認では、デジタルカメラ側で撮影されている状況が把握し難いという問題があった。
【０００５】
そこで本発明は、撮影されている状況を把握しやすくすることを目的とする。
【課題を解決するための手段】
【０００６】
この発明は、外部装置から傾き情報を受信する受信手段と、この受信手段によって傾き情報を受信すると、この傾き情報に基づいて、前記外部装置に提供する画像の生成を制御する生成制御手段と、を備えることを特徴とする画像生成装置である。
【０００７】
この発明は、外部装置と画像生成装置とからなる画像生成システムであって、前記外部装置は、当該表示装置の傾き情報を検出する検出手段と、この検出手段によって検出された傾き情報を前記撮像装置に送信する傾き情報送信手段と、を備え、前記画像生成装置は、前記外部装置から傾き情報を受信する傾き情報受信手段と、この傾き情報受信手段によって傾き情報を受信すると、この傾き情報に基づいて、前記外部装置に提供する画像の生成を制御する生成制御手段と、を備えることを特徴とする画像生成システムである。
【０００８】
この発明は、外部装置から傾き情報を受信する受信ステップと、この受信ステップで傾き情報を受信すると、この傾き情報に基づいて、前記外部装置に提供する画像の生成を制御する生成制御ステップと、を含むことを特徴とする画像生成方法である。
【０００９】
この発明は、画像生成装置のコンピュータを、外部装置から傾き情報を受信する受信機能、この受信機能によって傾き情報を受信すると、この傾き情報に基づいて、前記外部装置に提供する画像の生成を制御する生成制御機能、として機能させることを特徴とするプログラムである。
【発明の効果】
【００１０】
この発明によれば、撮影されている状況を把握しやすくすることができる。
【図面の簡単な説明】
【００１１】
【図１】本発明の実施形態による撮像装置１０と表示装置２０からなる画像生成システムの構成を示すブロック図である。
【図２】図２（ａ）は、本実施形態による撮像装置１０の構成を示すブロック図であり、図２（ｂ）は、本実施形態による表示装置２０の構成を示すブロック図である。
【図３】本実施形態によるデジタル倍率テーブル３０の一例を示す概念図である。
【図４】本実施形態によるデジタル倍率テーブル３０の水平角とズーム倍率との関係を示す概念図である。
【図５】本実施形態による撮像装置１０と表示装置２０との動作を説明するためのフローチャートである。
【図６】図６（ａ）〜（ｃ）は、本実施形態による撮像装置１０と表示装置２０との動作を説明するための概念図である。
【発明を実施するための形態】
【００１２】
以下、本発明の実施の形態を、図面を参照して説明する。
【００１３】
Ａ．実施形態の構成
図１は、本発明の実施形態による撮像装置１０と表示装置２０からなる画像生成システムの構成を示すブロック図である。図において、撮像装置１０は、例えば撮像機能を備えるデジタルカメラからなり、表示装置２０は、スマートフォンや、タブレット端末などからなる。撮像装置１０と表示装置２０とは、それぞれが利用可能な無線通信４０を用いて、ペアリング（無線接続認識）を構築する。表示装置２０は、起動したカメラ操作専用アプリケーション（プログラム）を用いて、無線通信４０を介して、撮像装置１０を遠隔操作する。
【００１４】
なお、本発明における遠隔操作とは、撮影開始、停止、動作モードの設定、ズーミング、撮影条件の設定、撮影画像（撮影動画）の閲覧などの操作を含む。また、図１において、無線通信４０は、無線ＬＡＮ（ＷｉＦｉ）や、Ｂｌｕｅｔｏｏｔｈ（登録商標）などからなる。また、撮像装置１０は、ユーザが把持、もしくは三脚などに設置して撮影する一般的な形状であるが、これに限らず、人体に装着するような形状や、光学系（レンズ）と撮像素子（ＣＣＤ）、無線通信４０を行う通信手段など、画像を撮像する最小限の構成からなる形態であってもよい。
【００１５】
図２（ａ）は、本実施形態による撮像装置１０の構成を示すブロック図であり、図２（ｂ）は、本実施形態による表示装置２０の構成を示すブロック図である。図２（ａ）において、撮像装置１０は、通信部１１、ＲＯＭ１２、ＲＡＭ１３、撮像部１４、操作部（タッチパネル）１５、記録媒体１６、及びＣＰＵ１７を備えている。なお、図示していないが、一般的なデジタルカメラと同様に、表示部（液晶表示部、有機ＥＬ表示部など）を備えていてもよい。
【００１６】
通信部１１は、上記無線通信４０により表示装置２０に接続し、各種データを送受信する。ＲＯＭ１２は、後述するＣＰＵ１７により実行されるプログラムや動作等に必要とされる各種パラメータなどを記憶している。ＲＡＭ１３は、撮像部１４によって撮像された画像データを一時記憶するバッファメモリとして使用されるとともに、後述するＣＰＵ１７がプログラムを実行した際のワーキングメモリとして使用される。
【００１７】
撮像部１４は、光学レンズ群からなるレンズブロックと、ＣＣＤや、ＣＭＯＳなどの撮像素子とからなり、レンズブロックから入った画像を撮像素子によりデジタル信号に変換して出力する。操作部１５は、シャッタスイッチ、ズームスイッチ、モードキー、ＳＥＴキー、十字キー等の複数の操作キーを含み、ユーザのキー操作に応じた操作信号を出力する。記録媒体１６は、撮像部１４で撮像された画像データなどを保存する。
【００１８】
ＣＰＵ１７は、上述したＲＯＭ１２に記憶されているプログラムを実行することで各部の動作を制御する。特に、本実施形態では、ＣＰＵ１７は、撮像部１４で撮影したスルー画像（ライブビューイメージともいう）を、通信部１１によって表示装置２０に随時送信するよう制御する。また、ＣＰＵ１７は、表示装置２０から送信されてくる、表示装置２０の水平角（傾き、表示装置２０の表示部２５（後述）の表示面の水平方向に対する回転角）を受信すると、撮像部１４で撮影したスルー画像に対して、水平角に応じてデジタルズーム、回転、トリミング、リサイズ（間引きによる解像度変更）を行い、処理後のスルー画像を通信部１１によって表示装置２０に送信するよう制御する（詳細は後述）。
【００１９】
図２（ｂ）において、表示装置２０は、通信部２１、ＲＯＭ２２、ＲＡＭ２３、加速度センサ２４、表示部２５、操作部２６、記録媒体２７、及びＣＰＵ２８を備えている。通信部２１は、上記無線通信４０により撮像装置１０に接続し、各種データを送受信する。ＲＯＭ２２は、後述するＣＰＵ２８により実行されるプログラムや動作等に必要とされる各種パラメータなどを記憶している。ＲＡＭ１３は、後述するＣＰＵ２８がプログラムを実行した際の一時的なデータや、各種アプリケーションプログラム、アプリケーションの実行に必要な各種パラメータなどのデータを記憶する。
【００２０】
加速度センサ２４は、当該表示装置２０の動き（特に、表示部への垂直軸に対する回転）を検出する。ＣＰＵ２８は、加速度センサ１５の検出結果から、当該表示装置２０の回転角度を把握することが可能となっている。表示部２５は、液晶表示器や有機ＥＬ（Ｅｌｅｃｔｒｏ  Ｌｕｍｉｎｅｓｃｅｎｃｅ）表示器などからなり、各種のメニュー画面や、撮像装置１０の撮像時におけるライブビュー画面、撮像装置１０で撮像された画像データの再生表示などを表示する。操作部（タッチパネル）２６は、指やスタイラス（ペン）などの直接接触、あるいは、近接を検出する。なお、操作部（タッチパネル）２６には、電源ボタンや音量ボタンなどの機械的なスイッチ類が含まれてもよい。記録媒体２７は、撮像装置１０で撮像された画像データなどを保存する。
【００２１】
ＣＰＵ２８は、上述したＲＯＭ２２に記憶されているプログラムを実行することで各部の動作を制御する。特に、本実施形態では、ＣＰＵ２８は、無線通信端末１０との間で通信が確立すると、撮像装置１０から随時送信されるスルー画像を受信し、該スルー画像を表示部２５に表示するよう制御する。また、ＣＰＵ２８は、加速度センサ２４の検出結果から水平角（傾き、表示部２５の表示面の水平方向に対する回転角）が閾値以上であるか判定し、該水平角が閾値以上になると、通信部２１によって該水平角を撮像装置１０に通知する。
【００２２】
前述したように、表示装置２０の表示面が水平方向に対して回転されると、デジタルカメラ側の姿勢状況とは無関係に、その表示面に表示されるスルー画像も回転するため、ユーザは、デジタルカメラ側で撮影されている状況が把握し難くなる。そこで、本実施形態では、撮像装置１０は、表示装置２０から送信されてくる、表示装置２０の水平角（傾き、表示装置２０の表示部２５（後述）の表示面の水平方向に対する回転角）を受信すると、スルー画像に対して、水平角に応じてデジタルズーム、回転、トリミング、リサイズ（間引きによる解像度変更）を行う。
【００２３】
すなわち、表示装置２０（表示部２５の表示面）が回転されると、表示部２５の表示面の有効面積が正規の表示（鉛直方向を真下にした正規の姿勢での表示）が水平角の変更に応じて変わるので、ユーザから見てスルー画像を表示画面に収めつつ正立させるためには、水平角に応じてスルー画像を拡縮して回転させる必要がある。
【００２４】
そこで、本実施形態では、どのくらの水平角の場合にどのくらいデジタルズームを行えばよいかを知るために、水平角とズーム倍率とを対応付けてテーブル化しておく（以下、デジタル倍率テーブルという）。そして、デジタルズームを行う際には、水平角に応じて該デジタル倍率テーブルを参照してズーム倍率を取得し、該ズーム倍率に従ってスルー画像をデジタルズームする。
【００２５】
図３は、本実施形態によるデジタル倍率テーブル３０の一例を示す概念図である。また、図４は、本実施形態によるデジタル倍率テーブル３０の水平角とズーム倍率との関係を示す概念図である。図３には、スルー画像の縦横比が４：３と１６：９の場合における水平角に対するズーム倍率を示している。また、図４において、横軸は、表示装置２０の水平角であり、縦軸は、デジタルズームのズーム倍率である。ラインＬ１は、４：３のスルー画像に対する水平角とズーム倍率とを示しており、ラインＬ２は、１６：９のスルー画像に対する水平角とズーム倍率とを示している。
【００２６】
４：３の画像に対するデジタルズームの倍率は、ラインＬ１に示すように、水平角０°で「１」、水平角１５°で「０．５７１」、水平角３０°で「０．４３」と小さくし、水平角６０°から再び大きくし、水平角９０°で「０．５６３」とする。そして、水平角９０°から１８０°については、水平角０°から９０°の対称とする。
【００２７】
これに対して、１６：９の画像に対するデジタルズームの倍率は、ラインＬ２に示すように、水平角０°で「１」、水平角１５°で「０．４８」、水平角３０°で「０．３２」と小さくし、水平角６０°から再び大きくし、水平角９０°で「０．３０８」とする。そして、水平角９０°から１８０°については、水平角０°から９０°の対称とする。
【００２８】
このように、スルー画像に対するズーム倍率を表示装置２０の水平角に応じて変えるとともに、水平角に応じて回転させることにより、表示装置２０が水平面で回転しても、スルー画像を常にユーザに対して常に正立させることが可能となる。実際には、さらに、回転によって生じる隙間部分を黒塗りにする処理も施す。また、必要に応じて、トリミングやリサイズ（間引きによる解像度変更）を行う。
【００２９】
なお、このデジタル倍率テーブル３０は、水平角とズーム倍率とを対応付けたが、これに限らず、トリミングサイズやリサイズなどを水平角と対応付けて記憶するテーブルを設け、トリミングやリサイズの場合にもそれぞれのテーブルを参照して処理を施すようにしてもよい。
【００３０】
Ｂ．実施形態の動作
次に、上述した実施形態の動作について説明する。
図５は、本実施形態による撮像装置１０と表示装置２０との動作を説明するためのフローチャートである。また、図６（ａ）〜（ｃ）は、本実施形態による撮像装置１０と表示装置２０との動作を説明するための概念図である。前提として、撮像装置１０と表示装置２０とは、それぞれの通信部１１、２１により無線通信による通信を確立する。
【００３１】
＜表示装置＞
表示装置２０において、ＣＰＵ２８は、加速度センサ２５の検出結果から水平角（表示部２５の表示面の水平方向に対する回転角）を算出し（ステップＳ１０）、水平角が閾値以上であるか否かを判断する（ステップＳ１２）。そして、水平角が閾値以上である場合には（ステップＳ１２のＹＥＳ）、ＣＰＵ２８は、通信部２１によって該水平角を撮像装置１０に通知する（ステップＳ１４）。一方、水平角が閾値以上でない場合には（ステップＳ１２のＮＯ）、ＣＰＵ２８は、通信部２１によって該水平角「０」を撮像装置１０に通知する（ステップＳ１６）。
【００３２】
水平角の通知後、ＣＰＵ２８は、撮像装置１０からのスルー画像の受信を完了したか否かを判断する（ステップＳ１８）。そして、スルー画像の受信を完了していない場合には（ステップＳ１８のＮＯ）、待機状態とする。一方、撮像装置１０からのスルー画像の受信を完了した場合には（ステップＳ１８のＹＥＳ）、受信したスルー画像を表示部２５に表示する（ステップｓ２０）。その後、ＣＰＵ２８は、ユーザによるスルー画像の表示完了操作があったか否かを判断する（ステップＳ２２）。そして、スルー画像の表示完了操作がない場合には（ステップＳ２２のＮＯ）、ステップＳ１０に戻り、上述した処理を繰り返し実行する。一方、スルー画像の表示完了操作があった場合には（ステップＳ２２のＹＥＳ）、当該処理を終了する。
【００３３】
＜撮像装置＞
撮像装置１０において、ＣＰＵ１７は、撮像部１４で撮像した画像からスルー画を作成し（ステップＳ３０）、スルー画像を作成後、表示装置２０に転送する前に、表示装置２０から無線通信により送信される水平角に従って傾きがあるか否かを判断する（ステップＳ３２）。水平角が閾値以上である場合には、その時点の水平角が送信されるので傾きありと判断し、水平角が閾値以上でない場合には、その時点の水平角として「０」が送信されるので傾きなしと判断する。そして、表示装置２０が傾いていない場合には（ステップＳ３２のＮＯ）、ＣＰＵ１７は、作成したスルー画像をそのまま表示装置２０に転送する（ステップＳ３８）。
【００３４】
一方、表示装置２０が傾いている場合には（ステップＳ３２のＹＥＳ）、ＣＰＵ１７は、水平角に応じてスルー画像に対してデジタルズーム処理を施す（ステップＳ３４）。なお、水平角とズーム倍率とは、ある決まった関係で予め定められている（後述）。また、光学ズーム可能な場合には光学ズーム処理でも良い。次に、ＣＰＵ１７は、水平角に基づき、スルー画に対して回転処理を施す（ステップＳ３６）。このとき、回転によって生じる隙間部分は黒塗りにする。また、次に、ＣＰＵ１７は、処理を施したスルー画像を表示装置２０に無線通信により転送する（ステップＳ３８）。
【００３５】
いずれの場合も、スルー画像の転送後、ＣＰＵ１７は、スルー画像の送信が完了したか否かを判断する（ステップＳ４０）。そして、スルー画像の送信が完了していない場合には（ステップＳ４０のＮＯ）、送信が完了するまで待機する。一方、スルー画像の送信が完了した場合には（ステップＳ４０のＹＥＳ）、ユーザによるスルー画像の作成終了操作があったか否かを判断する（ステップＳ４２）。そして、スルー画像の作成終了操作がない場合には（ステップＳ４２のＮＯ）、ステップＳ３０に戻り、上述した処理を繰り返し実行する。一方、スルー画像の作成終了操作があった場合には（ステップＳ４２のＹＥＳ）、当該処理を終了する。
【００３６】
例えば、図６（ａ）に示すように、表示装置２０の水平角がほぼ水平である場合、すなわち、水平角が閾値以上でない場合には、表示装置２０は、水平角「０」を撮像装置１０に通知する（図中の矢印）。撮像装置１０では、その時点の水平角として「０」が受信されるので傾きなしと判断し、作成したスルー画像をそのまま表示装置２０に転送する。したがって、表示装置２０では、スルー画像がそのまま表示部２５に表示される。
【００３７】
また、図６（ｂ）に示すように、表示装置２０の水平角が閾値（例えば１５°）以上になった場合には、表示装置２０は、その時点の水平角を撮像装置１０に通知する（図中の矢印）。この時点では、まだ、デジタルズームや回転処理は施されていない。撮像装置１０では、その時点の水平角に応じて、作成したスルー画像に対して、デジタルズーム処理と回転処理を施すとともに、回転によって生じる隙間部分を黒塗りにし、処理を施したスルー画像を表示装置２０に転送する（図６（ｃ）における矢印）。したがって、表示装置２０では、図６（ｃ）に示すように、デジタルズーム処理、回転処理、黒塗り処理が施されたスルー画像が表示部２５に表示される。
【００３８】
上述した実施形態によれば、撮像装置１０で撮影されているスルー画像に対して、表示装置２０の水平角（表示部２５の表示面の水平方向に対する回転角）に応じてデジタルズームと回転処理を施し、表示装置２０で上記デジタルズームと回転処理が施されたスルー画像を表示することで、表示装置２０が傾いている場合であっても、ユーザにとって撮影されている状況を把握しやすくできる。
【００３９】
また、上述した実施形態によれば、表示装置２０の水平角（表示部２５の表示面の水平方向に対する回転角）に応じて倍率が制御されたデジタルズームを施すことで、表示装置２０が傾いている場合であっても、表示画面にスルー画像全体を収めることができ、ユーザにとって撮影されている状況を把握しやすくできる。
【００４０】
また、上述した実施形態によれば、表示装置２０の表示部２５の縦横比に応じたズーム倍率を記憶するデジタル倍率テーブル３０を設けることにより、複雑な演算を行うことなく、表示装置２０の水平角に応じたズーム倍率を取得することができ、容易にスルー画像の倍率を制御することができる。
【００４１】
なお、上述した実施形態においては、表示装置２０が傾けられた場合に、スルー画像に対して倍率が制御されたデジタルズーム処理を施したが、その他、トリミング処理、リサイズ処理（間引きによる解像度変更）を施すようにしてもよい。この場合も、デジタルズーム処理と同様に、表示装置２０が傾いている場合であっても、表示画面にスルー画像全体を収めることができ、ユーザにとって撮影されている状況を把握しやすくできる。
【００４２】
また、上述した実施形態においては、水平角（傾き）に応じてデジタルズームで倍率を制御したが、これに限らず、ズームレンズを備え、水平角（傾き）に応じてズームレンズで倍率を制御するようにしてもよい。この場合も、表示装置２０が傾いている場合であっても、表示画面にスルー画像全体を収めることができ、ユーザにとって撮影されている状況を把握しやすくできる。
【００４３】
また、上述した実施形態においては、スルー画像に対して水平角に応じてデジタルズームや回転処理を施すとしたが、これ以外に、撮影指示（シャッタ押下）された画像に対して水平角に応じてデジタルズームや回転処理を施して記録するようにしてもよい。この場合、表示装置２０が傾いている場合であっても、表示画面にスルー画像や撮影画像全体を収めることができ、ユーザにとって撮影されている状況を把握しやすくできる。
【００４４】
また、上述した実施形態においては、加速度センサ２４から算出した仰角や、地磁気センサやジャイロセンサを用いて検出した鉛直角によって、デジタルズームのズーム中心を移動させる処理を施すようにしてもよい。
【００４５】
以上、この発明のいくつかの実施形態について説明したが、この発明は、これらに限定されるものではなく、特許請求の範囲に記載された発明とその均等の範囲を含むものである。
以下に、本願出願の特許請求の範囲に記載された発明を付記する。
【００４６】
（付記１）
付記１に記載の発明は、外部装置から傾き情報を受信する受信手段と、この受信手段によって傾き情報を受信すると、この傾き情報に基づいて、前記外部装置に提供する画像の生成を制御する生成制御手段と、を備えることを特徴とする画像生成装置である。
【００４７】
（付記２）
付記２に記載の発明は、前記外部装置は、表示部を備えた装置であり、当該画像生成装置は、撮像手段と、この撮像手段が撮像した画像を含む、前記表示部にて表示されるべき画像を生成する画像生成手段と、前記生成制御手段によって制御された前記画像生成手段によって生成された画像を、前記表示部を備えた外部装置へ送信する送信手段と、を更に備えることを特徴とする付記１記載の画像生成装置である。
【００４８】
（付記３）
付記３に記載の発明は、前記傾き情報は、前記表示部の表示面の水平方向に対する回転角の情報であることを特徴とする付記２記載の画像生成装置である。
【００４９】
（付記４）
付記４に記載の発明は、前記生成制御手段は、前記傾き情報に応じて倍率を制御された画像を生成することを特徴とする付記１乃至３の何れかに記載の画像生成装置である。
【００５０】
（付記５）
付記５に記載の発明は、前記生成制御手段は、前記傾き情報に応じてデジタルズームで倍率を制御された画像を生成することを特徴とする付記１乃至４の何れかに記載の画像生成装置である。
【００５１】
（付記６）
付記６に記載の発明は、ズームレンズを更に備え、前記生成制御手段は、前記傾き情報に応じて前記ズームレンズで倍率を制御された画像を生成することを特徴とする付記１乃至４の何れかに記載の画像生成装置である。
【００５２】
（付記７）
付記７に記載の発明は、前記生成制御手段は、前記傾き情報に応じてトリミングされた画像を生成することを特徴とする付記１乃至３の何れかに記載の画像生成装置である。
【００５３】
（付記８）
付記８に記載の発明は、前記生成制御手段は、前記傾き情報に応じてリサイズされた画像を生成することを特徴とする付記１乃至３の何れかに記載の画像生成装置である。
【００５４】
（付記９）
付記９に記載の発明は、前記表示部の縦横比に応じた倍率制御内容を記憶するテーブルを備えたことを特徴とする付記４乃至６の何れかに記載の画像生成装置である。
【００５５】
（付記１０）
付記１０に記載の発明は、前記生成制御手段は、逐次撮像される画像に対して、前記傾き情報に応じて画像の生成を制御することを特徴とする付記１乃至９の何れかに記載の画像生成装置である。
【００５６】
（付記１１）
付記１１に記載の発明は、前記生成制御手段は、記録指示された画像に対して、前記傾き情報に応じて画像の生成を制御することを特徴とする付記１乃至９の何れかに記載の画像生成装置である。
【００５７】
（付記１２）
付記１２に記載の発明は、外部装置と画像生成装置とからなる画像生成システムであって、前記外部装置は、当該外部装置の傾き情報を検出する検出手段と、この検出手段によって検出された傾き情報を前記画像生成装置に送信する傾き情報送信手段と、を備え、前記画像生成装置は、前記外部装置から傾き情報を受信する傾き情報受信手段と、この傾き情報受信手段によって傾き情報を受信すると、この傾き情報に基づいて、前記外部装置に提供する画像の生成を制御する生成制御手段と、を備えることを特徴とする画像生成システムである。
【００５８】
（付記１３）
付記１３に記載の発明は、前記外部装置は、前記画像生成装置から送信される画像を受信する画像受信手段と、前記画像受信手段によって受信された画像を表示する表示手段と、を更に備え、前記画像生成装置は、撮像手段と、この撮像手段が撮像した画像を含む、前記表示手段にて表示されるべき画像を生成する画像生成手段と、前記生成制御手段によって制御された前記画像生成手段によって生成された画像を、前記外部装置へ送信する画像送信手段と、を備えることを特徴とする付記１１記載の画像生成システムである。
【００５９】
（付記１４）
付記１４に記載の発明は、前記傾き情報は、前記表示手段の表示面の水平方向に対する回転角の情報であることを特徴とする付記１３記載の画像生成システムである。
【００６０】
（付記１５）
付記１５に記載の発明は、前記生成制御手段は、前記傾き情報に応じて倍率を制御された画像を生成することを特徴とする付記１２乃至１４の何れかに記載の画像生成システムである。
【００６１】
（付記１６）
付記１６に記載の発明は、前記生成制御手段は、前記傾き情報に応じてデジタルズームで倍率を制御された画像を生成することを特徴とする付記１２乃至１５の何れかに記載の画像生成システムである。
【００６２】
（付記１７）
付記１７に記載の発明は、前記画像生成装置は、ズームレンズを更に備え、前記生成制御手段は、前記傾き情報に応じて前記ズームレンズで倍率を制御された画像を生成することを特徴とする付記１２乃至１５の何れかに記載の画像生成システムである。
【００６３】
（付記１８）
付記１８に記載の発明は、前記生成制御手段は、前記傾き情報に応じてトリミングされた画像を生成することを特徴とする付記１２乃至１４の何れかに記載の画像生成システムである。
【００６４】
（付記１９）
付記１９に記載の発明は、前記生成制御手段は、前記傾き情報に応じてリサイズされた画像を生成することを特徴とする付記１２乃至１４の何れかに記載の画像生成システムである。
【００６５】
（付記２０）
付記２０に記載の発明は、前記画像生成装置は、前記表示手段の縦横比に応じた倍率制御内容を記憶するテーブルを備えたことを特徴とする付記１５乃至１７の何れかに記載の画像生成システムである。
【００６６】
（付記２１）
付記２１に記載の発明は、前記生成制御手段は、逐次撮像される画像に対して、前記傾き情報に応じて画像の生成を制御することを特徴とする付記１２乃至２０の何れかに記載の画像生成システムである。
【００６７】
（付記２２）
付記２２に記載の発明は、前記生成制御手段は、記録指示された画像に対して、前記傾き情報に応じて画像の生成を制御することを特徴とする付記１２乃至２０の何れかに記載の画像生成システムである。
【００６８】
（付記２３）
付記２３に記載の発明は、外部装置から傾き情報を受信する受信ステップと、この受信ステップで傾き情報を受信すると、この傾き情報に基づいて、前記外部装置に提供する画像の生成を制御する生成制御ステップと、を含むことを特徴とする画像生成方法である。
【００６９】
（付記２４）
付記２４に記載の発明は、画像生成装置のコンピュータを、外部装置から傾き情報を受信する受信機能、この受信機能によって傾き情報を受信すると、この傾き情報に基づいて、前記外部装置に提供する画像の生成を制御する生成制御機能、として機能させることを特徴とするプログラムである。
【符号の説明】
【００７０】
１０  撮像装置
１１  通信部
１２  ＲＯＭ
１３  ＲＡＭ
１４  撮像部
１５  操作部
１６  記録媒体
１７  ＣＰＵ
２０  表示装置
２１  通信部
２２  ＲＯＭ
２３  ＲＡＭ
２４  加速度センサ
２５  表示部
２６  操作部
２７  記録媒体
２８  ＣＰＵ
３０  デジタル倍率テーブル
４０  無線通信
【図１】
2015139124.tif 000003
【図２】
2015139124.tif 000004
【図３】
2015139124.tif 000005
【図４】
2015139124.tif 000006
【図５】
2015139124.tif 000007
【図６】
2015139124.tif 000008